【手続補正書】
【提出日】平成28年11月24日(2016.11.24)
【手続補正１】
【補正対象書類名】特許請求の範囲
【補正対象項目名】全文
【補正方法】変更
【補正の内容】
【特許請求の範囲】
【請求項１】
ビデオ情報をコーディングするように構成された装置であって、前記装置が、
少なくとも１つのベースレイヤ動きベクトル候補を備える候補リストを記憶するように構成されたメモリと、
前記メモリと通信しているプロセッサとを備え、前記プロセッサは、
コーディングユニット（ＣＵ）中の予測ユニット（ＰＵ）ごとに、または前記ＣＵ中の全てのＰＵについて一回、前記少なくとも１つのベースレイヤ動きベクトル候補を生成するかどうかを決定することと、
前記決定に従って前記ＣＵ中の現在ＰＵのための前記少なくとも１つのベースレイヤ動きベクトル候補を生成することと、前記ＣＵが１つまたは複数のＰＵを有する、
前記少なくとも１つのベースレイヤ動きベクトル候補を前記候補リストに追加することと
を行うように構成された、装置。
【請求項２】
前記装置がエンコーダを備え、前記プロセッサが、前記記憶された候補リストを使用してビデオブロックを符号化するようにさらに構成された、請求項１に記載の装置。
【請求項３】
前記装置がデコーダを備え、前記プロセッサが、前記記憶された候補リストを使用してビデオブロックを復号するようにさらに構成された、請求項１に記載の装置。
【請求項４】
前記候補リストが空間候補と時間動きベクトル予測子（ＴＭＶＰ）とをさらに含む、請求項１に記載の装置。
【請求項５】
前記少なくとも１つのベースレイヤ動きベクトル候補が各ＰＵについて生成され、前記空間候補が前記ＣＵについて１回のみ生成され、前記ＴＭＶＰが各ＰＵについて導出される、請求項４に記載の装置。
【請求項６】
前記少なくとも１つのベースレイヤ動きベクトル候補が前記ＣＵについて１回のみ生成され、前記空間候補が前記ＣＵについて１回のみ生成され、前記ＴＭＶＰが各ＰＵについて導出される、請求項４に記載の装置。
【請求項７】
前記少なくとも１つのベースレイヤ動きベクトル候補が前記ＣＵについて１回のみ生成され、前記空間候補が前記ＣＵについて１回のみ生成され、前記ＴＭＶＰが前記ＣＵについて１回のみ導出される、請求項４に記載の装置。
【請求項８】
前記候補リストがマージ候補リスト、または高度動きベクトル予測（ＡＭＶＰ）候補リストである、請求項１に記載の装置。
【請求項９】
前記少なくとも１つのベースレイヤ動きベクトル候補が、ベースレイヤ中のコロケートブロックの内側の位置から導出される、請求項１に記載の装置。
【請求項１０】
前記少なくとも１つのベースレイヤ動きベクトル候補は、前記現在ＰＵのサイズが所定のしきい値よりも大きい場合のみ生成される、請求項１に記載の装置。
【請求項１１】
前記現在ＰＵのサイズが所定のしきい値よりも小さいとき、前記少なくとも１つのベースレイヤ動きベクトル候補が前記特定のＣＵについて１回のみ生成されるか、または前記特定のＣＵを含むＣＵのグループについて１回のみ生成される、請求項１に記載の装置。
【請求項１２】
ビデオ情報を符号化する方法であって、前記方法は、
前記ビデオ情報を符号化するための候補リストを記憶することと、前記候補リストが少なくとも１つのベースレイヤ動きベクトル候補を備える、
コーディングユニット（ＣＵ）中の予測ユニット（ＰＵ）ごとに、または前記ＣＵ中の全てのＰＵについて一回、前記少なくとも１つのベースレイヤ動きベクトル候補を生成するかどうかを決定することと、
前記決定に従って前記ＣＵ中の現在ＰＵのための前記少なくとも１つのベースレイヤ動きベクトル候補を生成することと、前記ＣＵが１つまたは複数のＰＵを有する、
前記少なくとも１つのベースレイヤ動きベクトル候補を前記候補リストに追加することと
を備える、方法。
【請求項１３】
前記現在ＰＵのサイズが所定のしきい値よりも大きい場合のみ、前記少なくとも１つのベースレイヤ動きベクトル候補を生成することをさらに備える、請求項１２に記載の方法。
【請求項１４】
ビデオ情報を復号する方法であって、前記方法は、
符号化ビデオビットストリームから抽出されたシンタックス要素を受信することと、ここにおいて、前記シンタックス要素が、少なくとも１つのベースレイヤ動きベクトル候補を備える候補リストに関連付けられたビデオ情報を備える、
コーディングユニット（ＣＵ）中の予測ユニット（ＰＵ）ごとに、または前記ＣＵ中の全てのＰＵについて一回、前記少なくとも１つのベースレイヤ動きベクトル候補を生成するかどうかを決定することと、
前記決定に従って前記ＣＵ中の現在ＰＵのための前記少なくとも１つのベースレイヤ動きベクトル候補を生成することと、前記ＣＵが１つまたは複数のＰＵを有する、
前記少なくとも１つのベースレイヤ動きベクトル候補を前記候補リストに追加することと
を備える、方法。
【請求項１５】
実行されたとき、請求項１２〜１４のいずれか一項に記載の方法を備えるプロセスを装置に行わせるコードを備える非一時的コンピュータ可読媒体。
【手続補正２】
【補正対象書類名】明細書
【補正対象項目名】０１９３
【補正方法】変更
【補正の内容】
【０１９３】
[00199]  本発明の様々な実施形態について説明した。これらおよび他の実施形態は以下の特許請求の範囲内に入る。
以下に、本願出願の当初の特許請求の範囲に記載された発明を付記する。
［Ｃ１］
ビデオ情報をコーディングするように構成された装置であって、前記装置が、
少なくとも１つのベースレイヤ動きベクトル候補を備える候補リストを記憶するように構成されたメモリと、
前記メモリと通信しているプロセッサとを備え、前記プロセッサは、
前記少なくとも１つのベースレイヤ動きベクトル候補を生成するための振舞いを決定することと、
前記決定された振舞いに従って特定のコーディングユニット（ＣＵ）中の現在予測ユニット（ＰＵ）のための前記少なくとも１つのベースレイヤ動きベクトル候補を生成することと、前記特定のＣＵが１つまたは複数のＰＵを有する、
前記少なくとも１つのベースレイヤ動きベクトル候補を前記候補リストに追加することと
を行うように構成された、装置。
［Ｃ２］
前記装置がエンコーダを備え、前記プロセッサが、前記記憶された候補リストを使用してビデオブロックを符号化するようにさらに構成された、Ｃ１に記載の装置。
［Ｃ３］
前記装置がデコーダを備え、前記プロセッサが、前記記憶された候補リストを使用してビデオブロックを復号するようにさらに構成された、Ｃ１に記載の装置。
［Ｃ４］
前記装置が、コンピュータと、ノートブックと、ラップトップと、コンピュータと、タブレットコンピュータと、セットトップボックスと、電話ハンドセットと、スマートフォンと、スマートパッドと、テレビジョンと、カメラと、ディスプレイデバイスと、デジタルメディアプレーヤと、ビデオゲームコンソールと、車内コンピュータとのうちの１つまたは複数なるグループから選択されるデバイスを備える、Ｃ１に記載の装置。
［Ｃ５］
前記候補リストが空間候補と時間動きベクトル予測子（ＴＭＶＰ）とをさらに含む、Ｃ１に記載の装置。
［Ｃ６］
前記少なくとも１つのベースレイヤ動きベクトル候補が各ＰＵについて生成され、前記空間候補が前記特定のＣＵについて１回のみ生成され、前記ＴＭＶＰが各ＰＵについて導出される、Ｃ５に記載の装置。
［Ｃ７］
前記少なくとも１つのベースレイヤ動きベクトル候補が前記特定のＣＵについて１回のみ生成され、前記空間候補が前記特定のＣＵについて１回のみ生成され、前記ＴＭＶＰが各ＰＵについて導出される、Ｃ５に記載の装置。
［Ｃ８］
前記少なくとも１つのベースレイヤ動きベクトル候補が前記特定のＣＵについて１回のみ生成され、前記空間候補が前記特定のＣＵについて１回のみ生成され、前記ＴＭＶＰが前記特定のＣＵについて１回のみ導出される、Ｃ５に記載の装置。
［Ｃ９］
前記候補リストがマージ候補リストである、Ｃ１に記載の装置。
［Ｃ１０］
前記候補リストが高度動きベクトル予測（ＡＭＶＰ）候補リストである、Ｃ１に記載の装置。
［Ｃ１１］
前記少なくとも１つのベースレイヤ動きベクトル候補と前記空間候補との間でプルーニングが適用される、Ｃ５に記載の装置。
［Ｃ１２］
前記少なくとも１つのベースレイヤ動きベクトル候補と前記空間候補との間でプルーニングが無効にされる、Ｃ５に記載の装置。
［Ｃ１３］
前記少なくとも１つのベースレイヤ動きベクトル候補が前記候補リスト中の第１の候補として追加される、Ｃ１に記載の装置。
［Ｃ１４］
前記少なくとも１つのベースレイヤ動きベクトル候補が前記ＴＭＶＰの後に追加される、Ｃ５に記載の装置。
［Ｃ１５］
前記少なくとも１つのベースレイヤ動きベクトル候補が、ベースレイヤ中のコロケートブロックの内側の位置から導出される、Ｃ１に記載の装置。
［Ｃ１６］
前記少なくとも１つのベースレイヤ動きベクトル候補が、ベースレイヤ中のコロケートブロックの外側の位置から導出される、Ｃ１に記載の装置。
［Ｃ１７］
前記少なくとも１つのベースレイヤ動きベクトル候補は、前記現在ＰＵのサイズが所定のしきい値よりも大きい場合のみ生成される、Ｃ１に記載の装置。
［Ｃ１８］
前記現在ＰＵのサイズが所定のしきい値よりも小さいとき、前記少なくとも１つのベースレイヤ動きベクトル候補が前記特定のＣＵについて１回のみ生成されるか、または前記特定のＣＵを含むＣＵのグループについて１回のみ生成される、Ｃ１に記載の装置。
［Ｃ１９］
前記少なくとも１つのベースレイヤ動きベクトル候補は、前記現在ＰＵのための１つまたは複数の空間候補が利用不可能であると決定された場合のみ生成される、Ｃ１に記載の装置。
［Ｃ２０］
前記少なくとも１つのベースレイヤ動きベクトル候補は、（ｉ）前記現在ＰＵのための時間動きベクトル予測子（ＴＭＶＰ）が利用不可能であると決定されたか、または（ｉｉ）前記現在ＰＵを含む並列動き推定（ＰＭＥ）領域が指定され、前記現在ＰＵが前記ＰＭＥ領域の完全に内側に位置するときのみ生成される、Ｃ１に記載の装置。
［Ｃ２１］
ビデオ情報を符号化する方法であって、前記方法は、
前記ビデオ情報を符号化するための候補リストを記憶することと、前記候補リストが少なくとも１つのベースレイヤ動きベクトル候補を備える、
前記少なくとも１つのベースレイヤ動きベクトル候補を生成するための振舞いを決定することと、
前記決定された振舞いに従って特定のコーディングユニット（ＣＵ）中の現在予測ユニット（ＰＵ）のための前記少なくとも１つのベースレイヤ動きベクトル候補を生成することと、前記特定のＣＵが１つまたは複数のＰＵを有する、
前記少なくとも１つのベースレイヤ動きベクトル候補を前記候補リストに追加することと
を備える、方法。
［Ｃ２２］
前記候補リストに空間候補と時間動きベクトル予測子（ＴＭＶＰ）とを追加することをさらに備える、Ｃ２１に記載の方法。
［Ｃ２３］
各ＰＵについて前記少なくとも１つのベースレイヤ動きベクトル候補を生成することと、
前記特定のＣＵについて１回のみ前記空間候補を生成することと、
各ＰＵについて前記ＴＭＶＰを生成することとをさらに備える、Ｃ２２に記載の方法。
［Ｃ２４］
前記特定のＣＵについて１回のみ前記少なくとも１つのベースレイヤ動きベクトル候補を生成することと、
前記特定のＣＵについて１回のみ前記空間候補を生成することと、
各ＰＵについて前記ＴＭＶＰを生成することと
をさらに備える、Ｃ２２に記載の方法。
［Ｃ２５］
前記特定のＣＵについて１回のみ前記少なくとも１つのベースレイヤ動きベクトル候補を生成することと、
前記特定のＣＵについて１回のみ前記空間候補を生成することと、
前記特定のＣＵについて１回のみ前記ＴＭＶＰを生成することと
をさらに備える、Ｃ２２に記載の方法。
［Ｃ２６］
前記候補リストがマージ候補リストである、Ｃ２１に記載の方法。
［Ｃ２７］
前記候補リストが高度動きベクトル予測（ＡＭＶＰ）候補リストである、Ｃ２１に記載の方法。
［Ｃ２８］
前記少なくとも１つのベースレイヤ動きベクトル候補と前記空間候補との間でプルーニングが適用される、Ｃ２２に記載の方法。
［Ｃ２９］
前記少なくとも１つのベースレイヤ動きベクトル候補と前記空間候補との間でプルーニングが無効にされる、Ｃ２２に記載の方法。
［Ｃ３０］
前記少なくとも１つのベースレイヤ動きベクトル候補が前記候補リスト中の第１の候補として追加される、Ｃ２１に記載の方法。
［Ｃ３１］
前記少なくとも１つのベースレイヤ動きベクトル候補が前記ＴＭＶＰの後に追加される、Ｃ２２に記載の方法。
［Ｃ３２］
前記少なくとも１つのベースレイヤ動きベクトル候補が、ベースレイヤ中のコロケートブロックの内側の位置から導出される、Ｃ２１に記載の方法。
［Ｃ３３］
前記少なくとも１つのベースレイヤ動きベクトル候補が、ベースレイヤ中のコロケートブロックの外側の位置から導出される、Ｃ２１に記載の方法。
［Ｃ３４］
前記現在ＰＵのサイズが所定のしきい値よりも大きい場合のみ、前記少なくとも１つのベースレイヤ動きベクトル候補を生成することをさらに備える、Ｃ２１に記載の方法。
［Ｃ３５］
前記現在ＰＵのサイズが所定のしきい値よりも小さいとき、前記特定のＣＵについて１回のみ、または前記特定のＣＵを含むＣＵのグループについて１回のみ、前記少なくとも１つのベースレイヤ動きベクトル候補を生成することをさらに備える、Ｃ２１に記載の方法。
［Ｃ３６］
前記現在ＰＵのための１つまたは複数の空間候補が利用不可能であると決定された場合のみ、前記少なくとも１つのベースレイヤ動きベクトル候補を生成することをさらに備える、Ｃ２１に記載の方法。
［Ｃ３７］
（ｉ）前記現在ＰＵのための時間動きベクトル予測子（ＴＭＶＰ）が利用不可能であると決定されたか、または（ｉｉ）前記現在ＰＵを含む並列動き推定（ＰＭＥ）領域が指定され、前記現在ＰＵが前記ＰＭＥ領域の完全に内側に位置するときのみ、前記少なくとも１つのベースレイヤ動きベクトル候補を生成することをさらに備える、Ｃ２１に記載の方法。
［Ｃ３８］
ビデオ情報を復号する方法であって、前記方法は、
符号化ビデオビットストリームから抽出されたシンタックス要素を受信することと、ここにおいて、前記シンタックス要素が、少なくとも１つのベースレイヤ動きベクトル候補を備える候補リストに関連付けられたビデオ情報を備える、
前記少なくとも１つのベースレイヤ動きベクトル候補を生成するための振舞いを決定することと、
前記決定された振舞いに従って特定のコーディングユニット（ＣＵ）中の現在予測ユニット（ＰＵ）のための前記少なくとも１つのベースレイヤ動きベクトル候補を生成することと、前記特定のＣＵが１つまたは複数のＰＵを有する、
前記少なくとも１つのベースレイヤ動きベクトル候補を前記候補リストに追加するための手段と
を備える、方法。
［Ｃ３９］
前記候補リストに空間候補と時間動きベクトル予測子（ＴＭＶＰ）とを追加することをさらに備える、Ｃ３８に記載の方法。
［Ｃ４０］
各ＰＵについて前記少なくとも１つのベースレイヤ動きベクトル候補を生成することと、
前記特定のＣＵについて１回のみ前記空間候補を生成することと、
各ＰＵについて前記ＴＭＶＰを生成することと
をさらに備える、Ｃ３９に記載の方法。
［Ｃ４１］
前記特定のＣＵについて１回のみ前記少なくとも１つのベースレイヤ動きベクトル候補を生成することと、
前記特定のＣＵについて１回のみ前記空間候補を生成することと、
各ＰＵについて前記ＴＭＶＰを生成することと
をさらに備える、Ｃ３９に記載の方法。
［Ｃ４２］
前記特定のＣＵについて１回のみ前記少なくとも１つのベースレイヤ動きベクトル候補を生成することと、
前記特定のＣＵについて１回のみ前記空間候補を生成することと、
前記特定のＣＵについて１回のみ前記ＴＭＶＰを生成することと
をさらに備える、Ｃ３９に記載の方法。
［Ｃ４３］
前記候補リストがマージ候補リストである、Ｃ３８に記載の方法。
［Ｃ４４］
前記候補リストが高度動きベクトル予測（ＡＭＶＰ）候補リストである、Ｃ３８に記載の方法。
［Ｃ４５］
前記少なくとも１つのベースレイヤ動きベクトル候補と前記空間候補との間でプルーニングが適用される、Ｃ３９に記載の方法。
［Ｃ４６］
前記少なくとも１つのベースレイヤ動きベクトル候補と前記空間候補との間でプルーニングが無効にされる、Ｃ３９に記載の方法。
［Ｃ４７］
前記少なくとも１つのベースレイヤ動きベクトル候補が前記候補リスト中の第１の候補として追加される、Ｃ３８に記載の方法。
［Ｃ４８］
前記少なくとも１つのベースレイヤ動きベクトル候補が前記ＴＭＶＰの後に追加される、Ｃ３９に記載の方法。
［Ｃ４９］
前記少なくとも１つのベースレイヤ動きベクトル候補が、ベースレイヤ中のコロケートブロックの内側の位置から導出される、Ｃ３８に記載の方法。
［Ｃ５０］
前記少なくとも１つのベースレイヤ動きベクトル候補が、ベースレイヤ中のコロケートブロックの外側の位置から導出される、Ｃ３８に記載の方法。
［Ｃ５１］
前記現在ＰＵのサイズが所定のしきい値よりも大きい場合のみ、前記少なくとも１つのベースレイヤ動きベクトル候補を生成することをさらに備える、Ｃ３８に記載の方法。
［Ｃ５２］
前記現在ＰＵのサイズが所定のしきい値よりも小さいとき、前記特定のＣＵについて１回のみ、または前記特定のＣＵを含むＣＵのグループについて１回のみ、前記少なくとも１つのベースレイヤ動きベクトル候補を生成することをさらに備える、Ｃ３８に記載の方法。
［Ｃ５３］
前記現在ＰＵのための１つまたは複数の空間候補が利用不可能であると決定された場合のみ、前記少なくとも１つのベースレイヤ動きベクトル候補を生成することをさらに備える、Ｃ３８に記載の方法。
［Ｃ５４］
（ｉ）前記現在ＰＵのための時間動きベクトル予測子（ＴＭＶＰ）が利用不可能であると決定されたか、または（ｉｉ）前記現在ＰＵを含む並列動き推定（ＰＭＥ）領域が指定され、前記現在ＰＵが前記ＰＭＥ領域の完全に内側に位置するときのみ、前記少なくとも１つのベースレイヤ動きベクトル候補を生成することをさらに備える、Ｃ３８に記載の方法。
［Ｃ５５］
実行されたとき、
少なくとも１つのベースレイヤ動きベクトル候補を備える候補リストを記憶することと、
前記少なくとも１つのベースレイヤ動きベクトル候補を生成するための振舞いを決定することと、
前記決定された振舞いに従って特定のコーディングユニット（ＣＵ）中の現在予測ユニット（ＰＵ）のための前記少なくとも１つのベースレイヤ動きベクトル候補を生成することと、前記特定のＣＵが１つまたは複数のＰＵを有する、
前記少なくとも１つのベースレイヤ動きベクトル候補を前記候補リストに追加することとを備えるプロセスを装置に行わせるコードを備える非一時的コンピュータ可読媒体。
［Ｃ５６］
前記プロセスが、前記候補リストに空間候補と時間動きベクトル予測子（ＴＭＶＰ）とを追加することをさらに備える、Ｃ５５に記載の媒体。
［Ｃ５７］
前記プロセスが、
前記特定のＣＵについてまたは各ＰＵについて１回のみ前記少なくとも１つのベースレイヤ動きベクトル候補を生成することと、
前記特定のＣＵについて１回のみ前記空間候補を生成することと、
前記特定のＣＵについてまたは各ＰＵについて１回のみ前記ＴＭＶＰを生成することとをさらに備える、Ｃ５６に記載の媒体。
［Ｃ５８］
ビデオ情報をコーディングするように構成されたビデオコーディングデバイスであって、前記ビデオコーディングデバイスは、
少なくとも１つのベースレイヤ動きベクトル候補を備える候補リストを記憶するための手段と、
前記少なくとも１つのベースレイヤ動きベクトル候補を生成するための振舞いを決定するための手段と、
前記決定された振舞いに従って特定のコーディングユニット（ＣＵ）中の現在予測ユニット（ＰＵ）のための前記少なくとも１つのベースレイヤ動きベクトル候補を生成するための手段と、前記特定のＣＵが１つまたは複数のＰＵを有する、
前記少なくとも１つのベースレイヤ動きベクトル候補を前記候補リストに追加するための手段と
を備える、ビデオコーディングデバイス。
［Ｃ５９］
前記候補リストに空間候補と時間動きベクトル予測子（ＴＭＶＰ）とを追加するための手段をさらに備える、Ｃ５８に記載のデバイス。
［Ｃ６０］
前記特定のＣＵについてまたは各ＰＵについて１回のみ前記少なくとも１つのベースレイヤ動きベクトル候補を生成するための手段と、
前記特定のＣＵについて１回のみ前記空間候補を生成するための手段と、
前記特定のＣＵについてまたは各ＰＵについて１回のみ前記ＴＭＶＰを生成するための手段と
をさらに備える、Ｃ５９に記載のデバイス。